(57)【特許請求の範囲】
【請求項１】
ａ．浴室１内に取り付けられたミスト噴霧用ノズル２と、浴室１内に温風を送り込んで浴室１内の暖房を行うために浴室１に取り付けられた温水式温風暖房乾燥機６から成る温水式浴室暖房乾燥装置において、
ｂ．前記ミスト噴霧用ノズル２に対しては略６０℃の温水を電磁弁５付の温水供給ライン４を経由して供給し、前記温水式温風暖房乾燥機６に対しては電磁弁８付の温水循環ライン７を経由して略８０℃の温水を循環させる熱源機３と、
ｃ．前記ミスト噴霧用ノズル２に対する略６０℃の温水の供給と、前記温水式温風暖房乾燥機６に対して略８０℃の温水を循環させるための制御を選択的及び同時に行うように前記熱源機３及び前記電磁弁５、８を制御し、併せて温水式温風暖房乾燥機６の送風ファン６ｂを制御する制御回路１０と、
ｄ．を有して成る温水式浴室暖房乾燥装置。
【請求項２】
前記制御回路１０には、温水供給ライン４の電磁弁５を間欠的にＯＮ、ＯＦＦする制御回路が付加されていることを特徴とする請求項１に記載の温水式浴室暖房乾燥装置。
【発明の詳細な説明】
【０００１】
【発明の属する技術分野】
本発明は、浴室内にミスト噴霧用ノズルを取り付けると共に浴室内の一部に温水式温風暖房乾燥機を取り付けることにより、浴室内をミスト暖房あるいはサウナ室として使用したり、あるいは浴室内を衣類乾燥室として使用したりすることができる温水式浴室暖房乾燥装置に関するものである。
【０００２】
【従来の技術】
浴室暖房乾燥方式には、図２に示すように、浴室１内の洗い場１bに近接した位置にミスト噴霧用ノズル２を取り付けて熱源機３で発生した約６０℃の温水をこのミスト噴霧用ノズル２から噴霧して浴室１内を温めたり、あるいはミストを浴室１内に充満させてサウナ室としても使用できるようにしたミスト暖房方式と、浴室の一部に温水式又は電気式の温風暖房乾燥機６を取り付けた温風方式の２つに大別できる。なお、図２において、４はミスト噴霧用ノズル２に対する温水供給ライン、５はミスト噴霧ＯＮ、ＯＦＦ用電磁弁である。
この２つの方式は、夫々に特徴があり、何れか一方を選択して取り付けるのが一般的であるが、稀れには双方を取り付ける例もある。
【０００３】
【発明が解決しようとする課題】
しかし、このような浴室暖房方式において、ミスト噴霧用ノズル２を取り付けた例においては、次のような課題がある。
１．噴霧するミストの温度は、火傷等を考慮して、約６０℃に設定されているため、暖    房負荷が大きい場合に、立ち上がりに時間がかかる。
２．立ち上がりを良くする為に、熱源機３から供給する温水量を増やす方法もあるが、    この方法を採用した場合、通常シャワーや給湯栓等へも一台の熱源機３を用いて給湯    を行っているため、これらからの出湯量が相対的に減少し、使い勝手が悪くなる。
３．温度維持のため、ミストの噴出を長時間継続すると、多量の温水を消費するように    なるため、経済的でない。
【０００４】
４．ミストとして噴霧する温水の温度が約６０℃に制限されているため、より高温のサ    ウナを楽しむことはできない。
５．温風暖房乾燥機６を用いる方式の場合も、暖房負荷が大きい場合には、立ち上がり    が悪い。
【０００５】
本発明の第１の目的は、ミスト噴霧用ノズル及び温水式温風暖房乾燥機を用いた浴室暖房方式において、暖房負荷が大きい場合の立ち上がりの悪さを改善することである。
更に第２の目的は、長時間ミスト暖房を行う場合の経済性の改善を行うことである。
更に第３の目的は、より高温のサウナを楽しむことができるようにすることである。
【０００６】
【課題を解決するための手段】
上記第１乃至第３の目的を達成するため、請求項１に記載の発明においては、ａ．浴室１内に取り付けられたミスト噴霧用ノズル２と、浴室１内に温風を送り込んで浴室１内の暖房を行うために浴室１に取り付けられた温水式温風暖房乾燥機６から成る温水式浴室暖房乾燥装置において、
ｂ．前記ミスト噴霧用ノズル２に対しては略６０℃の温水を電磁弁５付の温水供給ライン４を経由して供給し、前記温水式温風暖房乾燥機６に対しては電磁弁８付の温水循環ライン７を経由して略８０℃の温水を循環させる熱源機３と、
ｃ．前記ミスト噴霧用ノズル２に対する略６０℃の温水の供給と、前記温水式温風暖房乾燥機６に対して略８０℃の温水を循環させるための制御を選択的及び同時に行うように前記熱源機３及び前記電磁弁５、８を制御し、併せて温水式温風暖房乾燥機６の送風ファン６ｂを制御する制御回路１０と、
ｄ．を有して成ることを特徴とするものである。
【０００７】
更に、上記第１乃至第３の目的を達成するため、請求項２に記載の発明においては、請求項１に記載の温水式浴室暖房乾燥装置において、前記制御回路１０には、温水供給ライン４の電磁弁５を間欠的にＯＮ、ＯＦＦする制御回路が付加されていることを特徴とするものである。
【０００８】
【発明の実施の形態】
本発明は、ミスト噴霧用ノズルからミストを噴霧することにより、浴室内の温度を高める方式と、温水を熱源とする温風暖房乾燥方式を併用することが基本である。
この２方式を併用することにより、相互に立ち上がりの悪さを補完し合うことができると共に、これまでの低温サウナに加えて、温水式温風暖房乾燥機を同時使用することにより、より高温のサウナを楽しむことができるようにすることである。
勿論、運転モードにおいては、ミスト噴霧単独及び温水式温風暖房乾燥機単独の運転モードも選択できることは云うまでもない。
また、ミスト噴霧用ノズルの運転は、室温調整のために、及び消費する湯量節約のために、間欠運転を行うようにしても良い。この際、熱量が不足するときは間欠運転に合わせて、温水式温風暖房乾燥機の運転を併用するようにしても良い。
【０００９】
【実施例１】
請求項１及び２に記載した発明の実施例を図１に基づいて説明する。
この図１において、１は浴室、２はミスト噴霧用ノズルであって、このノズル２から熱源機３で発生した約６０℃の温水を浴室１内に噴霧することにより、ミストを浴室１内に充満させて暖房とサウナを楽しむことができるようになっている。４は熱源機３とミスト噴霧用ノズル２を結ぶ温水供給ライン、５はこの温水供給ライン４に取り付けられたミスト噴霧ＯＮ、ＯＦＦ用の電磁弁である。
【００１０】
６は浴室１の天井１cに取り付けられた温水式の温風暖房乾燥機であって、この温水式温風暖房乾燥機６内には、熱交換機６ａと送風ファン６ｂが組み込まれている。７は前記熱源機３と熱交換機６ａを結ぶ温水ＯＮ、ＯＦＦ用の電磁弁８付の温水循環ラインであって、約８０℃の温水が熱交換器６ａ内を循環し、送風ファン６ｂにより浴室１内から吸引した空気を温めて浴室１内に送風し、浴室１内を暖房したり、浴室１内のハンガーバー１ａに吊るした衣類等を乾燥したり、浴室１自体の乾燥を行ってカビの発生を防止したりする運転を行うことができる。図１において、１２は排気ダクト、１３は排気ファンである。
【００１１】
９はリモコンであって、このリモコン９は、脱衣室及び浴室１内あるいは台所等に任意に取り付け、無線あるいは有線で電源ボックス（制御回路）１０に信号を送り、上記したミスト噴霧用ノズル２、熱源機３、温水式温風暖房乾燥機６の運転を制御するもので、浴室１内に取り付けた温度センサ９ａにより、室温の自動制御が可能である。図中１１は信号線である。
なお、電源ボックス１０は熱源機３内あるいは温水式浴室暖房乾燥機６内に組み込んでも良い。
上記実施例の各運転モード例を次に説明する。
【００１２】
・ミスト噴霧モード
ミスト噴霧用ノズル２の電磁弁５を開に制御し、熱源機３の運転を開始して、ミスト噴霧用ノズル２から約６０℃のミストを噴霧して浴室１内にミストを充満させる。この結果、浴室１内の温度が上昇して暖房効果を生み、併せて浴室１内をサウナ室とすることもできる。
【００１３】
・急暖ミストモード
上記ミスト噴霧モードによる運転と同時に、温水式温風暖房乾燥機６内の送風ファン６ａを回転し、電磁弁８を開き、熱源機３の暖房用温水循環機能により、熱交換器６ｂ内に約８０℃の温水を循環させ、高温風を浴室１内に吹き出す。この結果、浴室１内はミスト暖房に合わせて温風暖房効果により、暖房負荷が大きい場合でも急速に室温を上昇させることができる。この際、設定温度到達後はミスト噴霧を間欠運転にしてもよい。
【００１４】
・高温ミストモード
上記急暖ミストサウナモードと同一の運転を行う。この結果、ミストだけの場合に比較して浴室１内の温度を高めて所謂より高温のサウナ室とすることができる。
【００１５】
・温風暖房乾燥モード
温水式温風暖房乾燥機６と熱源機３が運転を開始して浴室１内を温風により暖房したり、衣類乾燥を行う。なお、衣類乾燥時には、排気ファン１３を運転して浴室１内から排気を同時に行う。
【００１６】
【発明の効果】
請求項１及び２に記載した本発明は、次の効果を奏する。
１．シャワー等に対する給湯量を落とさずに立ち上がりを改善できる。例えばミスト噴    霧のみの運転で、３．３Ｌ／分、６０℃給湯のとき、約１０分で室温は１５℃から３    ０℃へ上昇し、また３．５ｋｗ／ｈの暖房能力の温水式温風暖房乾燥機のみの運転で    、同様に約１０分で室温は１５℃から３０℃へ上昇する。この２つを同時に運転する    ことによって、暖房能力が約２倍になるため、１５℃より低い室温からでも、１０分    で室温を３０℃に上昇させることが可能となる。
２．ミスト暖房と連動する温水式温風暖房乾燥機はほとんど改良を加えずに対応できる    ので、容易に、また安価に実施化できる。
３．より高温のミストサウナを楽しむことができる。
４．ミスト噴霧を間欠的に行うことにより、室温の調節が可能になると共に温水の消費    量が少なくなり、この分経済的である（請求項４）。
【図面の簡単な説明】
【図１】      本発明に係る実施例１の説明図。
【図２】      従来のミスト暖房の説明図。
【符号の説明】
１  浴室
２  ミスト噴霧用ノズル
３  熱源機
４  温水供給ライン
５  電磁弁
６  温水式温風暖房乾燥機
７  温水循環ライン
８  電磁弁
９  リモコン
１０  電源ボックス
１１  信号線
１２  排気ダクト
１３  排気ファン
【図１】
0004046211.tif 000002
【図２】
0004046211.tif 000003